(57)【要約】【課題】ＬＣＤ部の厚み方向の製造誤差に対して、がたつきの発生を確実に防止でき、モアレを発生させることなく確実な支持を行うことができる液晶表示装置を提供すること。【解決手段】本発明の液晶表示装置は、フロントパネル１０とリアパネル２０との間に平板状のＬＣＤ部３０を配置して構成され、ＬＣＤ部３０とリアパネル２０との間に、平板状のＬＣＤ保持部材を４０配置し、ＬＣＤ保持部材４０の一方の面には３つの板ばね４３ａ、４３ｂ、４３ｃを設け、ＬＣＤ部３０の背面を、３つの板ばね４３ａ、４３ｂ、４３ｃに当接させることで、ＬＣＤ部３０をＬＣＤ保持部材４０に保持することを特徴とする。【選択図】        図１
2013190585.tif 000002
【特許請求の範囲】
【請求項１】
フロントパネルとリアパネルとの間に平板状のＬＣＤ部を配置して構成される液晶表示装置であって、前記ＬＣＤ部と前記リアパネルとの間に、平板状のＬＣＤ保持部材を配置し、前記ＬＣＤ保持部材の一方の面には３つの板ばねを設け、前記ＬＣＤ部の背面を、３つの前記板ばねに当接させることで、前記ＬＣＤ部を前記ＬＣＤ保持部材に保持することを特徴とする液晶表示装置。
【請求項２】
前記ＬＣＤ保持部材には一対の挟持片を設け、一対の前記挟持片の間に前記ＬＣＤ部を配置し、前記挟持片で前記ＬＣＤ部を挟み込んで保持することを特徴とする請求項１に記載の液晶表示装置。
【請求項３】
前記ＬＣＤ保持部材と前記リアパネルとの間に電子部品を有する基板を配置し、前記基板を前記ＬＣＤ保持部材の他方の面に固定することを特徴とする請求項１又は請求項２に記載の液晶表示装置。
【請求項４】
前記ＬＣＤ保持部材を、前記フロントパネル又は前記リアパネルに固定することで、前記ＬＣＤ部を、他の部材に固定することなく、前記フロントパネルと前記リアパネルとの間に保持することを特徴とする請求項１から請求項３に記載の液晶表示装置。
【請求項５】
前記フロントパネルの対向する側部に形成したフロントパネル接続部と、前記ＬＣＤ保持部材の対向する側部に形成した保持部材接続部と、前記リアパネルの対向する側部に形成したリアパネル接続部とを備え、前記フロントパネル接続部、前記保持部材接続部、及び前記リアパネル接続部を固定することを特徴とする請求項４に記載の液晶表示装置。
【発明の詳細な説明】
【技術分野】
【０００１】
本発明は、ＬＣＤの組立性に優れた液晶表示装置に関する。
【背景技術】
【０００２】
液晶表示装置では、一般にＬＣＤをビスによって固定している。ビスによるＬＣＤの固定では、生産時の工数が増え、治具を製作する必要もあった。
ビスを用いることなくＬＣＤを保持するものとして特許文献１に示されるＬＣＤホルダーがある。
特許文献１では、上下方向や前後方向のガタツキを防止することができるＬＣＤホルダーを提供することを目的としており、ＬＣＤ支持部に支持されたＬＣＤ部は、ＬＣＤホルダーの内壁から突設されたＬＣＤ押え部と、ＬＣＤ押え部方向に可撓性を有すると共に、ＬＣＤ部の第２側面部を押さえるロック爪を有する爪部とによって固定している。
ＬＣＤ支持部に支持されたＬＣＤ部は、ＬＣＤ押え部方向に可撓性を有し、ＬＣＤ部の第２側面部を付勢して、ＬＣＤ部の第１側面部が内壁に押し当てられて、前後方向にガタツキなく固定される。
【先行技術文献】
【特許文献】
【０００３】
【特許文献１】特開２００７−３５７０号公報
【発明の概要】
【発明が解決しようとする課題】
【０００４】
例えば、特許文献１にも示されているような挟み込みであれば、ビス固定の問題は解消されるが、挟み込みだけでＬＣＤを保持する場合には、ＬＣＤの製品ばらつきなどによってモアレやがたつきが発生することもある。
特に、ＬＣＤの厚み方向に対する製造誤差に対しても十分な対応をとらなければ、モアレやがたつきが発生する。
【０００５】
本発明は、特にＬＣＤ部の厚み方向の製造誤差に対して、がたつきの発生を確実に防止でき、モアレを発生させることなく確実な支持を行うことができる液晶表示装置を提供することを目的とする。
【課題を解決するための手段】
【０００６】
請求項１記載の本発明の液晶表示装置は、フロントパネルとリアパネルとの間に平板状のＬＣＤ部を配置して構成される液晶表示装置であって、前記ＬＣＤ部と前記リアパネルとの間に、平板状のＬＣＤ保持部材を配置し、前記ＬＣＤ保持部材の一方の面には３つの板ばねを設け、前記ＬＣＤ部の背面を、３つの前記板ばねに当接させることで、前記ＬＣＤ部を前記ＬＣＤ保持部材に保持することを特徴とする。
請求項２記載の本発明の液晶表示装置は、請求項１に記載の液晶表示装置において、前記ＬＣＤ保持部材には一対の挟持片を設け、一対の前記挟持片の間に前記ＬＣＤ部を配置し、前記挟持片で前記ＬＣＤ部を挟み込んで保持することを特徴とする。
請求項３記載の本発明の液晶表示装置は、請求項１又は請求項２に記載の液晶表示装置において、前記ＬＣＤ保持部材と前記リアパネルとの間に電子部品を有する基板を配置し、前記基板を前記ＬＣＤ保持部材の他方の面に固定することを特徴とする。
請求項４記載の本発明の液晶表示装置は、請求項１から請求項３に記載の液晶表示装置において、前記ＬＣＤ保持部材を、前記フロントパネル又は前記リアパネルに固定することで、前記ＬＣＤ部を、他の部材に固定することなく、前記フロントパネルと前記リアパネルとの間に保持することを特徴とする。
請求項５記載の本発明の液晶表示装置は、請求項４に記載の液晶表示装置において、前記フロントパネルの対向する側部に形成したフロントパネル接続部と、前記ＬＣＤ保持部材の対向する側部に形成した保持部材接続部と、前記リアパネルの対向する側部に形成したリアパネル接続部とを備え、前記フロントパネル接続部、前記保持部材接続部、及び前記リアパネル接続部を固定することを特徴とする。
【発明の効果】
【０００７】
本発明によれば、ＬＣＤ部の厚み方向の製造誤差を板ばねによって吸収できるため、嵌合調整が不要となるとともにがたつきを無くすことができ、更にモアレの発生も防止できる。
【図面の簡単な説明】
【０００８】
【図１】本発明の一実施例による液晶表示装置の分解斜視図
【図２】本実施例による液晶表示装置の一部の断面図
【図３】図２の要部断面図
【図４】実施例による液晶表示装置の組立状態を示す斜視図
【図５】図４の側面図
【図６】図４の上面図
【図７】図４の側面断面図
【発明を実施するための形態】
【０００９】
本発明の第１の実施の形態による液晶表示装置は、ＬＣＤ部とリアパネルとの間に、平板状のＬＣＤ保持部材を配置し、ＬＣＤ保持部材の一方の面には３つの板ばねを設け、ＬＣＤ部の背面を、３つの板ばねに当接させることで、ＬＣＤ部をＬＣＤ保持部材に保持するものである。本実施の形態によれば、ＬＣＤ部の厚み方向の製造誤差を板ばねによって吸収できるため、嵌合調整が不要となるとともにがたつきを無くすことができ、更にモアレの発生も防止できる。特に３つの板ばねによる３点支持とすることで、がたつきの発生を確実に防止でき、確実な支持を行うことができる。
【００１０】
本発明の第２の実施の形態は、第１の実施の形態による液晶表示装置において、ＬＣＤ保持部材には一対の挟持片を設け、一対の挟持片の間にＬＣＤ部を配置し、挟持片でＬＣＤ部を挟み込んで保持するものである。本実施の形態によれば、一対の挟持片でＬＣＤ部を挟み込むことで、板ばねに確実に当接させることができる。
【００１１】
本発明の第３の実施の形態は、第１又は第２の実施の形態による液晶表示装置において、ＬＣＤ保持部材とリアパネルとの間に電子部品を有する基板を配置し、基板をＬＣＤ保持部材の他方の面に固定するものである。本実施の形態によれば、ＬＣＤ保持部材の一方の面にＬＣＤ部を、他方の面に基板を取り付けることで、ＬＣＤ保持部材によってユニット化でき、組み立て作業を容易にすることができる。
【００１２】
本発明の第４の実施の形態は、第１から第３の実施の形態による液晶表示装置において、ＬＣＤ保持部材を、フロントパネル又はリアパネルに固定することで、ＬＣＤ部を、他の部材に固定することなく、フロントパネルとリアパネルとの間に保持するものである。本実施の形態によれば、ＬＣＤ部をフロントパネル又はリアパネルに固定するための治具を必要とせず、作業性を向上することができる。
【００１３】
本発明の第５の実施の形態は、第４の実施の形態による液晶表示装置において、フロントパネルの対向する側部に形成したフロントパネル接続部と、ＬＣＤ保持部材の対向する側部に形成した保持部材接続部と、リアパネルの対向する側部に形成したリアパネル接続部とを備え、フロントパネル接続部、保持部材接続部、及びリアパネル接続部を固定するものである。本実施の形態によれば、フロントパネル、ＬＣＤ保持部材、及びリアパネルをビス止めなどによって固定することで、ＬＣＤ部をビス止めすることなく組立ができるため、作業性に優れている。
【実施例】
【００１４】
以下本発明の一実施例による液晶表示装置について説明する。
図１は本実施例による液晶表示装置の分解斜視図である。
【００１５】
図１に示すように、本実施例による液晶表示装置は、フロントパネル１０とリアパネル２０との間に平板状のＬＣＤ部３０を配置して構成される。
ＬＣＤ部３０とリアパネル２０との間には、平板状のＬＣＤ保持部材４０が配置される。ＬＣＤ保持部材４０とリアパネル２０との間には、電子部品を有する基板５０が配置される。フロントパネル１０とＬＣＤ部３０との間には、タッチパネルホルダー６１、タッチパネル６２、及びベゼルカバーシート６３が配置される。
【００１６】
フロントパネル１０は、矩形状の空間が形成されるように枠体１１で構成され、枠体１１の対向する側部１１ａ、１１ｂには、フロントパネル接続部１２ａ、１２ｂが形成されている。
リアパネル２０は、４つの側部２１ａ、２１ｂ、２１ｃ、２１ｄと背面部２１ｅとで凹部が形成され、対向する側部２１ａ、２１ｂには、リアパネル接続部２２ａ、２２ｂが形成されている。
ＬＣＤ部３０は、表示モニターとなる液晶部３１と、液晶部３１を保護する枠体３２とで構成されている。
【００１７】
ＬＣＤ保持部材４０の対向する側部４１ａ、４１ｂには保持部材接続部４２ａ、４２ｂが形成されている。ＬＣＤ保持部材４０の一方の面には、３つの板ばね４３ａ、４３ｂ、４３ｃを設けている。板ばね４３ａは、可動部となるばね先端部が側部４１ａ近傍となるように配置している。板ばね４３ｂと板ばね４３ｃとは、可動部となるばね先端部が側部４１ａと隣接する側部４１ｃ、４１ｄ近傍となるように配置している。板ばね４３ｂと板ばね４３ｃとは、同じ高さに設けている。保持部材接続部４２ａ、４２ｂには、ビス４５ａ、４５ｂに対応した孔を有している。
また、ＬＣＤ保持部材４０の一方の面には、一対の挟持片４４ａ、４４ｂを設けている。挟持片４４ａは、側部４１ａの両端であって、側部４１ａに垂直な方向の枠体３２の位置に設けている。挟持片４４ｂは、側部４１ｂの両端であって、側部４１ｂに垂直な方向の枠体３２の位置に設けている。
【００１８】
基板５０は、リアパネル２０側の面に電子部品が実装されるとともに、ＬＣＤ保持部材４０に固定するためのビス孔５１を設けている。基板５０は、ビス５２によってＬＣＤ保持部材４０の他方の面に固定される。ビス５２は、リアパネル２０側から基板５０をＬＣＤ保持部材４０に固定する。
【００１９】
図２は本実施例による液晶表示装置の一部の断面図、図３は図２の要部断面図である。
図２及び図３では、ＬＣＤ保持部材４０に、ＬＣＤ部３０と基板５０を取り付けた状態を示している。
ＬＣＤ部３０はＬＣＤ保持部材４０の一方の面に取り付け、基板５０はＬＣＤ保持部材４０の他方の面に取り付ける。
一対の挟持片４４ａ、４４ｂの間にＬＣＤ部３０を配置し、ＬＣＤ部３０の背面を、３つの板ばね４３ａ、４３ｂ、４３ｃに当接させることで、ＬＣＤ部３０をＬＣＤ保持部材４０に保持する。挟持片４４ａ、４４ｂは、ＬＣＤ部３０を挟み込んで保持する。
【００２０】
図４は本実施例による液晶表示装置の組立状態を示す斜視図、図５は図４の側面図、図６は図４の上面図、図７は図４の側面断面図である。
フロントパネル接続部１２ａ、１２ｂ、保持部材接続部４２ａ、４２ｂ、及びリアパネル接続部２２ａ、２２ｂは、ビス４５ａ、４５ｂで固定される。
図７に示すように、ＬＣＤ保持部材４０は、フロントパネル１０及びリアパネル２０に固定され、ＬＣＤ部３０は、他の部材に固定することなく、フロントパネル１０とリアパネル２０との間に保持される。
【００２１】
以上のように、本実施例によれば、ＬＣＤ部３０とリアパネル２０との間に、平板状のＬＣＤ保持部材４０を配置し、ＬＣＤ保持部材４０の一方の面には３つの板ばね４３ａ、４３ｂ、４３ｃを設け、ＬＣＤ部３０の背面を、３つの板ばね４３ａ、４３ｂ、４３ｃに当接させることで、ＬＣＤ部３０をＬＣＤ保持部材４０に保持するので、ＬＣＤ部３０の厚み方向の製造誤差を板ばねによって吸収できるため、嵌合調整が不要となるとともにがたつきを無くすことができ、更にモアレの発生も防止できる。特に３つの板ばね４３ａ、４３ｂ、４３ｃによる３点支持とすることで、がたつきの発生を確実に防止でき、確実な支持を行うことができる。
また本実施例では、一対の挟持片４４ａ、４４ｂでＬＣＤ部３０を挟み込むことで、板ばね４３ａ、４３ｂ、４３ｃに確実に当接させることができる。
また本実施例では、ＬＣＤ保持部材４０の一方の面にＬＣＤ部３０を、他方の面に基板５０を取り付けることで、ＬＣＤ保持部材４０によってユニット化でき、組み立て作業を容易にすることができる。
また本実施例では、ＬＣＤ部３０をフロントパネル１０又はリアパネル２０に固定するための治具を必要とせず、作業性を向上することができる。
また本実施例では、フロントパネル１０、ＬＣＤ保持部材４０、及びリアパネル２０をビス止めなどによって固定することで、ＬＣＤ部３０をビス止めすることなく組立ができるため、作業性に優れている。
【産業上の利用可能性】
【００２２】
本発明は、特にナビゲーションに用いられる車載用の液晶表示装置に適している。
【符号の説明】
【００２３】
１０  フロントパネル
１２ａ、１２ｂ  フロントパネル接続部
２０  リアパネル
２２ａ、２２ｂ  リアパネル接続部
３０  ＬＣＤ部
４０  ＬＣＤ保持部材
４２ａ、４２ｂ  保持部材接続部
４３ａ、４３ｂ、４３ｃ  板ばね
４４ａ、４４ｂ  挟持片
５０  基板
【図１】
2013190585.tif 000003
【図２】
2013190585.tif 000004
【図３】
2013190585.tif 000005
【図４】
2013190585.tif 000006
【図５】
2013190585.tif 000007
【図６】
2013190585.tif 000008
【図７】
2013190585.tif 000009